(57)【要約】【課題】  エラー発生時まで印刷していたページに続いて再印刷が行われるため、印刷結果により、エラーリカバリ印刷が行われたかどうかを、オペレータが目視で判断するので、判別に時間がかかり、また、エラーリカバリ印刷は単なる再印刷であるため、オペレータが目視で判断する際、エラーリカバリ印刷個所を特定しづらい。【解決手段】  印刷中に障害が発生し、その障害から回復後に、障害発生により印刷が中断したページを含む印刷済みページを再び印刷する印刷装置のエラーリカバリ印刷方式機能において、エラーリカバリ印刷の最初に任意のパターンを印刷した後に、再印刷を実行する。【選択図】図１
2005335256.tif 000002
【特許請求の範囲】
【請求項１】
印刷中に障害が発生し、その障害から回復後に、障害発生により印刷が中断したページを含む印刷済みページを再び印刷する印刷装置のエラーリカバリ印刷方法において、エラーリカバリ印刷の最初に任意のパターンを印刷した後に、再印刷を実行することを特徴とする印刷装置のエラーリカバリ印刷方法。
【請求項２】
前記任意のパターンに、エラーリカバリ印刷枚数も合わせて印刷することを特徴とする請求項１記載の印刷装置のエラーリカバリ印刷方法。
【請求項３】
前記任意のパターンの印刷機能を、操作パネル等のユーザインターフェイスを介して、有効あるいは無効に設定できることを特徴とする請求項１記載の印刷装置のエラーリカバリ印刷方法。
【発明の詳細な説明】
【技術分野】
【０００１】
本発明は、印刷装置のエラーリカバリ印刷方法に関するものである。
【背景技術】
【０００２】
まず、印刷装置としてプリンタの印刷方法の一例を、図２、図３、図４により説明する。
【０００３】
図２は、印刷装置であるプリンタのハードウェア構成の一例である。プリンタハードウェアは、印刷を実行するプリンタエンジン２２とその印刷動作を制御するプリンタ制御装置２１とにより構成される。ここで、プリンタ制御装置２１は、上位システムから送付される印刷データを受信するホストインターフェイス２３、エラー表示、オンライン・オフライン指定等のユーザインターフェイスを実現する操作パネル２６、受信した印刷データを解析してページイメージデータを作成する処理等、プリンタ制御装置２１のソフトウェアを実行するＣＰＵ２５、ページイメージデータのプリンタエンジン２２出力等、プリンタエンジン２２とのインターフェイスを行うエンジンインターフェイス２４、プリンタ制御装置２１のソフトウェア、ソフトウェアにより管理されるページイメージデータ及び各種情報等を格納するメモリ６、により構成される。
【０００４】
図３は、連続紙用プリンタエンジン内での印刷工程の一例である。光学部３１では、プリンタ制御装置から受信したページイメージデータをもとに、レーザ光のＯＮ／ＯＦＦを制御しながらレーザ光を感光ドラム３０に照射して感光ドラム３０上に電位差を生じさせる。現像機３３では、キャリアを帯電してトナーと攪拌しており、電位差が生じた感光ドラム３０が通過した際に、そのトナーが感光ドラム３０に付着する。そして、転写点３７において、給紙部３９から送られてきている用紙３４に、感光ドラム３０上に付着したトナーが転写される。尚、清掃部３２では、感光ドラム３０上に残ったトナー及び電位差の除去を行う。用紙３４に付着したトナーは、定着機３５の熱により定着点３６を通過するときに用紙に定着され、その後、排紙部３８へ送られる。
【０００５】
図４は、プリンタ制御装置における印刷制御方法の一例である。プリンタ制御装置ソフトウェア１は、操作パネルを制御し、操作パネルより入力された各種情報７のメモリ６への格納等を行う操作パネル制御部２と、格納された各種情報７及び上位システムから送付されメモリ６に格納された印刷データ８を解析して、ページイメージデータ９をメモリ６に展開する印刷データ解析部３と、プリンタエンジンを管理し、メモリ６に展開されたページイメージデータ９のプリンタエンジンへの送付等を制御するエンジン制御部４とを持つ。ここで、エンジン制御部４は、ページイメージデータ９の生成を検出すると、プリンタエンジンを起動し、必要に応じてメモリ６へ格納された各種情報７を参照し、用紙送り及びページイメージデータ９の送出を開始して印刷動作を実行する。ページイメージデータ９の送出完了前に、次ページ用のページイメージデータ９の生成を検出していれば、さらに印刷を続行する。また、エンジンへ送出するページイメージデータ９が無いことを検出すると、用紙送りを停止し、印刷動作を停止する。
【０００６】
次に、エラーリカバリ印刷方式の一例を上述した技術を用いて説明する。
【０００７】
プリンタエンジン２２においては、印刷が停止しても転写点３７から定着点３６までに位置する用紙３４上のトナーは未定着である。したがって、プリンタ制御装置２１は、用紙３４が転写点３５を通過した時点をもって印刷完了とする。ここで、プリンタエンジン２２が引き起こす障害の種類により、定着点３６を通過する前の用紙３４上の印刷結果を保証できる場合と、保証できない場合がある。保証できる場合は、障害から復帰後、次の印刷を継続して行う。保証できない場合、障害から復帰後、該当ページ群の再印刷を実行し、その後で次の印刷を継続して行う。尚、再印刷実行に備えるため、プリンタ制御装置２１は、印刷完了となるまで該当ページイメージデータ９をメモリ６上に保持する。
【０００８】
【特許文献１】特開２００３−２６３０８７号公報
【発明の開示】
【発明が解決しようとする課題】
【０００９】
前記したように、従来技術では、エラー発生時まで印刷していたページに続いて再印刷が行われるため、印刷結果により、エラーリカバリ印刷が行われたかどうかを、オペレータが目視で判断するので、判別に時間がかかる。また、エラーリカバリ印刷は単なる再印刷であるため、オペレータが目視で判断する際、エラーリカバリ印刷個所を特定しづらい。
【課題を解決するための手段】
【００１０】
本発明は、エラーリカバリ印刷の最初に任意パターンを印刷してから再印刷を実行することを最も主要な特徴とする。
【発明の効果】
【００１１】
本発明によれば、エラーリカバリ印刷の最初に任意パターンが印刷されるため、エラーリカバリ印刷の有無およびエラーリカバリ印刷個所を容易に判別できる。
【発明を実施するための最良の形態】
【００１２】
任意パターンの印刷を既存の装置構成で装置間インターフェイス（例えば、プリンタエンジンとプリンタ制御装置間インターフェイス）を変えることなくエラーリカバリ印刷方式を実現した。
【実施例１】
【００１３】
以下、本発明による印刷装置のエラーリカバリ方法の一実施例を図１により説明する。なお、図１において、図４と同一部分は同一符号を付してある。
【００１４】
図１は、前記背景技術で説明した図４のプリンタ制御装置における印刷制御方法に、任意パターンであるページイメージデータ１９を生成するパターン生成部５をプリンタ制御装置ソフトウェア１１の一部として設けたものである。
【００１５】
説明を簡単にするために、印刷結果が保証できないプリンタエンジン障害がｎ＋２番目のページイメージデータ９を転写中に発生し、ｎ−１番目のページイメージデータ９までが転写点を通過しているとする。エンジン制御部４はエラーリカバリ印刷が必要なプリンタエンジン障害が発生したことを検出すると、パターン生成部５に対して任意パターン生成を依頼する。パターン生成部５は、依頼を受け、任意パターンをページイメージデータ９として生成し、その完了をエンジン制御部４に報告する。エンジン制御部４は、パターン生成部５からのパターン生成完了報告とプリンタエンジン障害からの復帰を検出すると、まず、任意パターンが展開されているページイメージデータ９をプリンタエンジンへ送出した後、ｎ番目のページイメージデータ９を送出し、以降、ｎ＋１番目、ｎ＋２番目と順番にページイメージデータ９を送出しエラーリカバリ印刷を実行する。
【００１６】
また、任意パターン生成時に再印刷ページ数も合わせてページイメージデータ９としても良い。
【００１７】
さらに、操作パネルからエラーリカバリ印刷時の任意パターン印刷の有無、再印刷ページ数印刷の有無等を選択できるようにしても良い。
【図面の簡単な説明】
【００１８】
【図１】本発明の一実施例である印刷装置のエラーリカバリ印刷方法を示した説明図である。
【図２】印刷装置であるプリンタのハードウェア構成の説明図である。
【図３】連続紙用プリンタエンジン内での印刷工程の説明図である。
【図４】プリンタ制御装置における印刷制御方法の説明図である。
【符号の説明】
【００１９】
１    プリンタ制御装置ソフトウェア
２    操作パネル制御部
３    印刷データ解析部
４    エンジン制御部
５    パターン生成部
６    メモリ
７    各種情報
８    印刷データ
９    ページイメージデータ
１１  プリンタ制御装置ソフトウェア
１９  ページイメージデータ
２１  プリンタ制御装置
２２  プリンタエンジン
２３  ホストインターフェイス
２４  エンジンインターフェイス
２５  ＣＰＵ
２６  操作パネル
３０  感光ドラム
３１  光学部
３２  清掃部
３３  現像機
３４  用紙
３５  定着機
３６  定着点
３７  転写点
３８  排紙部
３９  給紙部
【図１】
2005335256.tif 000003
【図２】
2005335256.tif 000004
【図３】
2005335256.tif 000005
【図４】
2005335256.tif 000006